(57)【要約】      （修正有）【課題】組紐構造のロープ本体の中心軸に沿って柔軟なチューブを挿通してなるロープにおいて、その端部にアイスプライスを形成して、そのロープにテンションがかかったときにチューブが押しつぶされることがない、ロープのアイスプライスの構造を提供する。【解決手段】ロープ本体２の中心軸に沿って柔軟な長尺物を挿通してなるロープ１において、ロープ本体２と同一の組紐構造を有するアイスプライス用ロープ７の一端にアイスプライス６を形成し、アイスプライス用ロープの他端を個々のストランド５に分解し、分解したストランドをロープ１の途中からロープ本体２に組み込んでなるロープのアイスプライスの構造。【選択図】図３
2020079468.tif 000002
【特許請求の範囲】
【請求項１】
ロープ本体（２）の中心軸に沿って柔軟な長尺物を挿通してなるロープ（１）において、前記ロープ本体（２）と同一の構造を有するアイスプライス用ロープ（７）の一端にアイスプライス（６）を形成し、当該アイスプライス用ロープの他端を個々のストランド（５）に分解し、当該分解したストランド（５）を前記ロープ（１）の途中からロープ本体（２）に組み込んでなることを特徴とする、柔軟な長尺物を挿通したロープのアイスプライスの構造
【請求項２】
ロープ本体（２）の中心軸に沿って柔軟な長尺物を挿通してなるロープ（１）において、前記ロープ本体（２）と同一の構造を有するアイスプライス用ロープ（８）の両端を個々のストランド（５）に分解し、当該分解したストランド（５）を前記ロープ（１）の途中からロープ本体（２）に組み込み、当該アイスプライス用ロープ（８）の中間部分においてアイスプライス（６）を形成してなることを特徴とする、柔軟な長尺物を挿通したロープのアイスプライスの構造
【請求項３】
前記長尺物が、チューブ（３）内に金属線（４）を挿通してなるものであることを特徴とする、請求項１又は２に記載の柔軟な長尺物を挿通したロープのアイスプライスの構造
【請求項４】
前記金属線（４）が、通信線又は電力供給線であることを特徴とする、請求項３に記載の柔軟なチューブを挿通したロープのアイスプライスの構造
【発明の詳細な説明】
【技術分野】
【０００１】
本発明は、組紐構造のロープであって、その中心軸に沿って柔軟なチューブや金属線などの長尺物を挿通してなるロープにおいて、当該ロープの端末にアイスプライスを形成してなるロープの構造に関するものである。
【背景技術】
【０００２】
前述のような組紐構造のロープの中心軸に沿って何らかの長尺物を挿通したロープとしては、金属線を挿通した特開平１０−１６８７７２号公報などに示されるものが知られている。かかるロープは当該ロープの両端において前記金属線を介して通信を行ったり、前記金属線を通じて電力を送ったりするために使用されるものである。
【０００３】
しかしながらかかるロープにおいては、金属線の周囲が繊維で覆われており、このロープにテンションをかけて引っ張ったときには、繊維のロープ本体は伸張するものの、その中心に挿通された金属線は伸張することができず、またその周囲が繊維で覆われていて摩擦抵抗が大きいため、金属線にのみ大きな張力が作用することとなり、金属線が破断することも有り得る。
【０００４】
そのためロープにテンションが作用したときに、ロープ本体のみが伸張することがなく、ロープ本体と金属線とが互いに滑ることができるように、図１に示すように、多数のストランド５を組んでなる組紐構造のロープ本体２の中心軸に沿って、柔軟なプラスチックのチューブ３を挿通し、当該チューブ３内に金属線４を挿通してなるロープ１が使用されている。
【０００５】
このようにすることにより、プラスチックのチューブ３の内面が滑らかであるために、当該チューブ３と金属線４とは比較的簡単に滑ることができ、ロープ１にテンションが掛かったときにロープ本体２とチューブ３のみが伸張し、金属線４は伸張しないことができ、金属線４が破断することがないのである。
【０００６】
かかるロープ１において単純なテンションがかかったときには、金属線４は破断することはないのであるが、このロープ１にアイスプライスを形成したときには、当該アイスプライスの部分において金属線４が破断する可能性が生じるのである。
【０００７】
すなわち図２に示すようにロープ１にアイスプライス６を形成する場合には、ロープ本体２の途中からストランド５の間を通して、ロープ本体２の外にチューブ３及び金属線４を引き出し、当該ロープ本体２の先端部をループ状に湾曲させ、ロープ本体２の先端を各ストランド５に分解し、当該分解されたストランド５をチューブ３及び金属線４を引き出した際からロープ本体２のストランド５に挿入して、アイスプライス６を形成することとなる。
【０００８】
ところがかかる構造においてアイスプライス６を支持部材に引っ掛けてロープ１に大きなテンションを作用させると、チューブ３及び金属線４を引き出した部分のストランド５がチューブ３を強く押圧し、当該チューブ３を押し潰して金属線４に押し付け、この状態でさらにテンションを作用させることとなるので、チューブ３が局部的に金属線４に押し付けられた状態でロープ本体２が伸張し、伸度の小さい金属線４がその伸張に追従することができず、破断する可能性が生じるのである。
【０００９】
また前記図１と同様のロープ本体２の中心軸に沿って、プラスチックの柔軟なチューブ３のみを挿通し、当該チューブ３を透して潜水夫などに空気を送ることができる、潜水夫用ロープも使用されているが、かかるロープ１においてもその端末にアイスプライス６を形成し、ロープ１に大きなテンションが作用したときには、アイスプライス６の箇所において前記チューブ３が押し潰されて、潜水夫に十分な空気を送ることができなくなる可能性も指摘されている。
【先行技術文献】
【特許文献】
【００１０】
【特許文献１】特開平１０−１６８７７２号公報
【発明の概要】
【発明が解決しようとする課題】
【００１１】
本発明はかかる事情に鑑みなされたものであって、組紐構造のロープ本体２の中心軸に沿って柔軟なチューブ３や金属線などの長尺物を挿通してなるロープ１において、その端部にアイスプライス６を形成して、そのロープ１にテンションがかかったときに前記チューブ３が押しつぶされることがなく、また前記長尺物が切断されることがないようにすることを目的とするものである。
【課題を解決するための手段】
【００１２】
而して本願第一の発明は、ロープ本体の中心軸に沿って柔軟な長尺物を挿通してなるロープにおいて、前記ロープ本体と同一の構造を有するアイスプライス用ロープの一端にアイスプライスを形成し、当該アイスプライス用ロープの他端を個々のストランドに分解し、当該分解したストランドを前記ロープの途中からロープ本体に組み込んでなることを特徴とするものである。
【００１３】
また本願第二の発明は、ロープ本体の中心軸に沿って柔軟な長尺物を挿通してなるロープにおいて、前記ロープ本体と同一の構造を有するアイスプライス用ロープの両端を個々のストランドに分解し、当該分解したストランドを前記ロープの途中からロープ本体に組み込み、当該アイスプライス用ロープの中間部分においてアイスプライスを形成してなることを特徴とするものである。
【００１４】
本発明においては、前記長尺物が、チューブ内に金属線を挿通してなるものであることが好ましい。また当該長尺物においては、前記金属線）が、通信線又は電力供給線であることが可能である。
【図面の簡単な説明】
【００１５】
【図１】本発明において使用するロープを示すものであって、（ａ）は正面図、（ｂ）は横断面図である。
【図２】従来の方法においてアイスプライスを形成したロープの正面図
【図３】本願第一の発明においてアイスプライスを形成する前の状態を示す正面図
【図４】本願第一の発明のロープにアイスプライスを形成した状態を示す正面図
【図５】本願第二の発明においてアイスプライスを形成する前の状態を示す正面図
【図６】本願第二の発明のロープにアイスプライスを形成した状態を示す正面図
【発明を実施するための形態】
【００１６】
以下本発明を図面に基づいて説明する。図３は第一の発明のロープ１にアイスプライス６を形成する前の状態を示すものである。当該ロープ１のロープ本体２は図１に示すように、八本のストランド５を角八つ打ちの組紐構造に組んだクロスロープであって、当該ロープ本体２の中心軸に沿って柔軟なチューブ３が挿通されており、当該チューブ３内に金属線４が挿通されている。
【００１７】
なお本発明におけるロープ本体２は、必ずしも角八つ打ちのクロスロープである必要はなく、偶数のストランド５を筒状の組紐構造に組んだ構造を有しておれば足り、八つ打ち、十二打ちなどの構造であってもよい。さらに三つ打ちなどの撚りロープであっても差し支えない。
【００１８】
また以下の説明においては、ロープ本体２の中心軸に沿ってチューブ３が挿通され、さらにそのチューブ３内に金属線４が挿通された構造について述べるが、前記チューブ３内に金属線４が挿通されていることは必ずしも必要ではなく、ロープ本体２の中心軸に沿って何らかの長尺物が挿通されているものも、本発明に含まれる。
【００１９】
７はアイスプライス用ロープであって、前記ロープ１のロープ本体２と同一の組紐構造を有する短尺のロープである。そしてこのアイスプライス用ロープ７の一端にアイスプライス６を形成し、当該アイスプライス用ロープ７の他端を個々のストランド５に分解している。
【００２０】
そしてこのロープ１とアイスプライス用ロープ７とを図４に示すように、アイスプライス用ロープ７の分解したストランド５を、ロープ１の途中から、ロープ本体２のストランド５の間に挿入して組み込んでいる。
【００２１】
また図５は第二の発明のロープ１のアイスプライス６を形成する前の状態を示すものであって、ロープ１のロープ本体２は第一の発明のおけると同様であり、またそのロープ本体２の中心軸に沿って柔軟なチューブ３が挿通されており、当該チューブ３内に金属線４が挿通されている。
【００２２】
８はアイスプライス用ロープであって、前記ロープ１のロープ本体２と同一の組紐構造を有する短尺のロープである。そしてこのアイスプライス用ロープ８の両端が個々のストランド５に分解されている。
【００２３】
そしてこのロープ１とアイスプライス用ロープ８とを図６に示すように、アイスプライス用ロープ８の両端の分解したストランド５を、ロープ１の途中から、ロープ本体２のストランド５の間に挿入して組み込み、当該アイスプライス用ロープの中間部分により、アイスプライス６を形成している。
【００２４】
本発明によれば、アイスプライス用ロープ７、８の端部の分解したストランド５を、ロープ１の途中からストランド５の間に挿入して組み込むことにより、ロープ１の端部にアイスプライス６を形成することができるのである。
【００２５】
そしてロープ１の端末部はロープ１とアイスプライス用ロープ７、８との接続部から突出しており、当該ロープ１の端末からチューブ３及び金属線４が突出し、その金属線４を適宜通信線として、又は電力線として、必要なところに接続して使用することができるのである。
【００２６】
而して前記アイスプライス用ロープ７、８のアイスプライス６を支持部材に引っ掛けてロープ１に大きなテンションを作用させたときには、当該アイスプライス用ロープ７、８に作用するテンションは、アイスプライス用ロープ７、８の端末においてロープ１のロープ本体２に組み込まれており、前記アイスプライス６に作用したテンションはロープ１に伝達されて作用することとなる。
【００２７】
従って前記アイスプライス用ロープ７、８及びロープ１にかかるテンションが、チューブ３を圧迫するような方向に作用することはなく、チューブ３が押し潰されて金属線４に押し付けられることはない。
【００２８】
従って前記テンションが作用することによりロープ１のロープ本体２が伸縮することがあっても、そのロープ本体２内に挿入された金属線４はロープ本体２に対して自由に滑ることができるので、伸縮性に乏しい金属線４とは無関係に、ロープ本体２のみが伸縮することができ、金属線４がロープ本体２の伸張により無理に引き伸ばされて不用意に破断するようなことがない。
【００２９】
従って本発明によれば、アイスプライス用ロープ７、８の端部の分解されたストランド５が、ロープ１のロープ本体２内に組み込まれてロープ１と連続し、且つそのアイスプライス用ロープ７、８が組み込まれた際から突出したロープ１には過度にテンションがかかることがなく、かかるテンションによりチューブ３が押し潰されて、金属線４に押し付けられるようなことがなく、金属線４に過度のテンションが掛かって破断するようなことがないのである。
【産業上の利用可能性】
【００３０】
また前述のようにチューブ３内に金属線４が挿通されていない場合には、ロープ本体２におけるストランド５を分解した箇所からチューブ３が突出し、当該チューブ３を潜水夫などへの空気供給管として使用することができる。
【００３１】
この場合においても、アイスプライス用ロープ７、８に作用するテンションは、当該アイスプライス用ロープ７、８の端部において分解されたストランド５がロープ本体２に組み込まれることにより、チューブ３はテンションにより押し潰されることがなく、潜水夫への空気の供給が途絶えるようなことはない。
【００３２】
また前記特開平１０−１６８７７２号公報に示されたように、ロープ本体２の中心軸に沿って金属線４のみが挿通された構造のロープ１においても、当該ロープ１に本発明を適用することが可能であり、金属線４が切断することがなくアイスプライス６に大きなテンションを作用させることができる。
【符号の説明】
【００３３】
１  ロープ
２  ロープ本体
３  チューブ
４  金属線
５  ストランド
６  アイスプライス
７，８  アイスプライス用ロープ
【図１】
2020079468.tif 000003
【図２】
2020079468.tif 000004
【図３】
2020079468.tif 000005
【図４】
2020079468.tif 000006
【図５】
2020079468.tif 000007
【図６】
2020079468.tif 000008